(57)【特許請求の範囲】
【請求項１】
誘電体基材の一方の面に設けられた接地導体と、他方の面に設けられたストリップ導体とを備えて成るマイクロストリップ給電線路、上記接地導体面に形成されたスロット線路、上記マイクロストリップ給電線路をスロット線路に変換する変換手段、上記変換手段を介して電磁結合給電される上記スロット線路の一端に接続され、スロット幅が徐々に広がるテーパスロット線路を備え、上記テーパスロット線路の拡幅開放端近傍両外側の上記接地導体面上の上記テーパスロット線路の回転対称軸に対し軸対称となる位置に、上記回転対称軸に軸対称で屈曲部を有する形状に上記接地導体が除去された切り欠きを設けたことを特徴とするテーパスロットアンテナ。
【請求項２】
重ね合わされた第１の誘電体基材と第２の誘電体基材の各々外側の面に設けられた第１の接地導体と第２の接地導体と、内側の面に設けられたストリップ導体とを備えて成るトリプレート給電線路、上記第１の接地導体面と第２の接地導体面に各々同一形状に形成された第１のスロット線路と第２のスロット線路、上記トリプレート給電線路を上記第１のスロット線路と第２のスロット線路に変換する変換手段、上記変換手段を介して電磁結合給電される上記第１のスロット線路と第２のスロット線路の一端に各々接続され、スロット幅が徐々に広がる第１のテーパスロット線路と第２のテーパスロット線路を備え、上記第１のテーパスロット線路と第２のテーパスロット線路の拡幅開放端近傍両外側の上記第１の接地導体面と第２の接地導体面上の上記第１のテーパスロット線路と第２のテーパスロット線路の回転対称軸に対し軸対称となる位置に、上記回転対称軸に軸対称で屈曲部を有する形状に、各々上記第１の接地導体と第２の接地導体が除去された切り欠きを設けたことを特徴とするテーパスロットアンテナ。
【請求項３】
誘電体基材の一方の面に設けられた接地導体、上記接地導体面上に設けられたコプレーナ給電線路、上記接地導体面に形成されたスロット線路、上記コプレーナ給電線路をスロット線路に変換する変換手段、上記変換手段を介して電磁結合給電される上記スロット線路の一端に接続され、スロット幅が徐々に広がるテーパスロット線路を備え、上記テーパスロット線路の拡幅開放端近傍両外側の上記接地導体面上の上記テーパスロット線路の回転対称軸に対し軸対称となる位置に、上記回転対称軸に軸対称で屈曲部を有する形状に上記接地導体が除去された切り欠きを設けたことを特徴とするテーパスロットアンテナ。
【請求項４】
請求項１〜３のいずれか１項に記載のテーパスロットアンテナにおいて、テーパスロット線路とその両外側の接地導体とのテーパ形状をなす境界の上記テーパスロット線路の回転対称軸に対し軸対称となる位置に、上記境界から上記スロットへ延在し、上記回転対称軸に対し軸対称の形状で対をなす金属片を少なくとも一対設けたことを特徴とするテーパスロットアンテナ。
【請求項５】
請求項１〜４のいずれか１項に記載のテーパスロットアンテナにおいて、テーパスロット線路と同一面上のテーパスロット線路の拡幅開放端の前方の上記テーパスロット線路の回転対称軸に対し軸対称となる位置に、上記回転対称軸に対し軸対称の形状の複数個の非励振導体を設けたことを特徴とするテーパスロットアンテナ。
【発明の詳細な説明】
【０００１】
【発明の属する技術分野】
この発明は、広帯域にわたり良好な反射特性が要求されるアンテナ装置に用いるテーパスロットアンテナに関するものである。
【０００２】
【従来の技術】
図７は、例えば文献Ｐ．Ｊ．Ｇｉｂｓｏｎ，”Ｔｈｅ  Ｖｉｖａｌｄｉ  ａｅｒｉａｌ，”ｉｎ  Ｐｒｏｃ．９ｔｈ  Ｅｕｒｏｐｅａｎ  ＭｉｃｒｏｗａｖｅＣｏｎｆ．，Ｂｒｉｇｈｔｏｎ，Ｕ．Ｋ．，１９７９，ｐｐ．１０１−１０５．  及び  Ｓ．Ｎ．Ｐｒａｓａｄ  ａｎｄ  Ｓ．Ｍａｈａｐａｔｒａ，”Ａ  ｎｏｖｅｌ  ｍｉｃ  ｓｌｏｔ−ｌｉｎｅ  ａｎｔｅｎｎａ，”ｉｎ  Ｐｒｏｃ．９ｔｈ  Ｅｕｒｏｐｅａｎ  Ｍｉｃｒｏｗａｖｅ  Ｃｏｎｆ．，Ｂｒｉｇｈｔｏｎ，Ｕ．Ｋ．，１９７９，ｐｐ．１２０−１２４．等に示された従来のテーパスロットアンテナの斜視図である。
図において、１ｈは誘電体基板、２ｆは上記誘電体基板１ｈの一つの面に形成した給電線路、３ｉは上記給電線路２ｆが形成された面と反対側の上記誘電体基板１ｈの面に形成した接地導体面、４ｅは上記給電線路２ｆと上記接地導体面３ｉにより構成されるマイクロストリップ給電線路、５ｈは上記マイクロストリップ給電線路４ｅと直交するように上記接地導体面３ｉに形成したスロット線路、６ｈは上記スロット線路５ｈの一端に接続したスロット幅が徐々に広がるテーパスロット線路、８は上記給電線路２ｆ上を流れる励振電流、９は上記励振電流８により上記スロット線路５ｈに誘起する磁界、１０は上記スロット線路５ｈを介して上記テーパスロット線路６ｈを伝搬する電界、１１は上記テーパスロット線路６ｈの近傍で且つ上記接地導体面３ｉを流れる電流、２０は上記テーパスロット線路６ｈの開放端の幅Ｗである。
【０００３】
次に作用について説明する。スロット線路５ｈがマイクロストリップ線路４ｅの開放端より１／４波長の所で交差しているものとすると、給電線路２ｆに流れる励振電流８の振幅が最大となり、最大の磁界９がスロット線路５ｈに結合し、スロット線路５ｈとテーパスロット線路６ｈを電界１０が伝搬する。このテーパスロット線路６ｈを伝搬する電界１０はテーパスロット線路６ｈの幅が少なくとも１／２波長以上であればテーパスロット線路６ｈの開放端部より空間に効率良く放射されアンテナとして動作するが、１／２波長以下であれば伝送線路として動作する。ここで、電界１０がテーパスロット線路６ｈを伝搬する際、電流１１が接地導体面３ｉ上をテーパスロット線路６ｈの近傍に沿って流れる。この電流１１は、周波数が高い場合はテーパスロット線路６ｈの開放端で十分に減衰し進行波電流分布を形成するが、周波数が低い場合は十分減衰せずこの開放端の両側の接地導体面３ｉの端部で反射し、定在波電流分布を形成する。
【０００４】
【発明が解決しようとする課題】
従来のテーパスロットアンテナでは、テーパスロット線路の開放端の幅Ｗが１／２波長以上必要であり、周波数が低い場合には開放端の幅Ｗを長くするとともにテーパスロット線路の長さも長くしなければならず、アンテナ寸法が大きくなるという問題点があった。また逆に、テーパスロット線路の開放端の幅Ｗが１／２波長以下となるような低い周波数では、テーパスロット線路は伝送線路として動作するため開放端でのテーパスロット線路近傍の電流は十分減衰せず、この開放端の両側の接地導体面で反射され、アンテナの入力端における反射特性が劣化、つまりＶＳＷＲ（電圧定在波比）が劣化するという問題点もあった。
【０００５】
この発明は上記のような問題点を解消するためになされたものであり、テーパスロット線路の開放端の幅Ｗが１／２波長以下となるような低い周波数帯においても、アンテナの入力端における反射特性つまりＶＳＷＲの劣化を低減し、アンテナ寸法を大きくすることなく広帯域な反射特性を有するテーパスロットアンテナを得ることを目的としている。
【０００６】
【課題を解決するための手段】
請求項１の発明に係わるテーパスロットアンテナは、誘電体基材の一方の面に設けられた接地導体と、他方の面に設けられたストリップ導体とを備えて成るマイクロストリップ給電線路、上記接地導体面に形成されたスロット線路、上記マイクロストリップ給電線路をスロット線路に変換する変換手段、上記変換手段を介して電磁結合給電される上記スロット線路の一端に接続され、スロット幅が徐々に広がるテーパスロット線路を備え、上記テーパスロット線路の拡幅開放端近傍両外側の上記接地導体面上の上記テーパスロット線路の回転対称軸に対し軸対称となる位置に、上記回転対称軸に軸対称で屈曲部を有する形状に上記接地導体が除去された切り欠きを設けたものである。
【０００７】
請求項２の発明に係わるテーパスロットアンテナは、重ね合わされた第１の誘電体基材と第２の誘電体基材の各々外側の面に設けられた第１の接地導体と第２の接地導体と、内側の面に設けられたストリップ導体とを備えて成るトリプレート給電線路、上記第１の接地導体面と第２の接地導体面に各々同一形状に形成された第１のスロット線路と第２のスロット線路、上記トリプレート給電線路を上記第１のスロット線路と第２のスロット線路に変換する変換手段、上記変換手段を介して電磁結合給電される上記第１のスロット線路と第２のスロット線路の一端に各々接続され、スロット幅が徐々に広がる第１のテーパスロット線路と第２のテーパスロット線路を備え、上記第１のテーパスロット線路と第２のテーパスロット線路の拡幅開放端近傍両外側の上記第１の接地導体面と第２の接地導体面上の上記第１のテーパスロット線路と第２のテーパスロット線路の回転対称軸に対し軸対称となる位置に、上記回転対称軸に軸対称で屈曲部を有する形状に、各々上記第１の接地導体と第２の接地導体が除去された切り欠きを設けたものである。
【０００８】
請求項３の発明に係わるテーパスロットアンテナは、誘電体基材の一方の面に設けられた接地導体、上記接地導体面上に設けられたコプレーナ給電線路、上記接地導体面に形成されたスロット線路、上記コプレーナ給電線路をスロット線路に変換する変換手段、上記変換手段を介して電磁結合給電される上記スロット線路の一端に接続され、スロット幅が徐々に広がるテーパスロット線路を備え、上記テーパスロット線路の拡幅開放端近傍両外側の上記接地導体面上の上記テーパスロット線路の回転対称軸に対し軸対称となる位置に、上記回転対称軸に軸対称で屈曲部を有する形状に上記接地導体が除去された切り欠きを設けたものである。
【０００９】
請求項４の発明に係わるテーパスロットアンテナは、請求項１〜３のいずれか１項に記載のテーパスロットアンテナにおいて、テーパスロット線路とその両外側の接地導体とのテーパ形状をなす境界の上記テーパスロット線路の回転対称軸に対し軸対称となる位置に、上記境界から上記スロットへ延在し、上記回転対称軸に対し軸対称の形状で対をなす金属片を少なくとも一対設けたものである。
【００１０】
請求項５の発明に係わるテーパスロットアンテナは、請求項１〜４のいずれか１項に記載のテーパスロットアンテナにおいて、テーパスロット線路と同一面上のテーパスロット線路の拡幅開放端の前方の上記テーパスロット線路の回転対称軸に対し軸対称となる位置に、上記回転対称軸に対し軸対称の形状の複数個の非励振導体を設けたものである。
【００１１】
【発明の実施の形態】
実施の形態１．
図１はこの発明の実施の形態１を示す切り欠きを有するテーパスロットアンテナの斜視図である。図２はこの発明の実施の形態１の切り欠きを有するテーパスロットアンテナの反射特性の改善効果を説明するための説明図である。図１において、１〜６及び８〜１１は上記図７に示した従来のテーパスロットアンテナと同様のものである。また、７ａは接地導体面３ａ上で且つテーパスロット線路６ａの回転対称軸に対し軸対称となる位置に、軸対称の形状をなすように接地導体面３ａが除去され、例えば図示するような屈曲部を設けた切り欠きである。
なお、上記テーパスロット線路６ａは例えば、指数関数的にスロット幅の広がるビバルディ形状とする。
【００１２】
次に、動作について説明する。スロット線路５ａがマイクロストリップ給電線路４ａの開放端より１／４波長の所で交差しているものとすると、給電線路２ａに流れる励振電流８の振幅が最大となり、最大の磁界９がスロット線路５ａに結合し、スロット線路５ａとテーパスロット線路６ａを電界１０が伝搬する。このテーパスロット線路６ａを伝搬する電界１０は、テーパスロット線路６ａの幅が少なくとも１／２波長以上であればテーパスロット線路６ａの開放端部より空間に効率良く放射され、テーパスロット線路６はアンテナとして動作する。また、テーパスロット線路６ａの開放端の幅Ｗが１／２波長以下となるような低い周波数帯では、テーパスロット線路６ａに沿った電流路はテーパスロット線路６ａの開放端から折り曲げ部分を介して切り欠き７ａの端部まで延長され、テーパスロット線路６ａの開放端近傍で減衰しきらない電流を切り欠き７ａの折り曲げ部分に集中させることができるとともに、この部分を放射に寄与させることが可能となる。このようにテーパスロット線路６ａは伝送線路として動作するため、接地導体面３ａ上のテーパスロット線路６ａの近傍に沿って流れる電流１１は、テーパスロット線路６ａ近傍では減衰せずに切り欠き７ａの屈曲部を励振する。つまり屈曲部に強い電流分布が形成され、この屈曲部がアンテナとして動作する。すなわち、この切り欠き７ａを設けることにより、開放端の幅Ｗが１／２波長以下となるような低い周波数帯においては、テーパスロット線路６ａは伝送線路として動作し、切り欠き７ａの屈曲部はアンテナとして動作する。
【００１３】
図２は、テーパスロット線路６ａの開放端の幅Ｗが周波数約１５ＧＨｚで１／２波長（１０ｍｍ）となるようなテーパスロットアンテナにおける切り欠き７ａが有る場合と無い場合のマイクロストリップ給電線路４ａの入力端でのＶＳＷＲ（電圧定在波比）の周波数特性を示す実験結果である。この図より、開放端の幅Ｗが１／２波長以下となる１５ＧＨｚより低い周波数帯域において、切り欠き７ａを設けることによりＶＳＷＲが改善されているのが分かる。
【００１４】
実施の形態２．
図３はこの発明の実施の形態２のテーパスロットアンテナの構成図であり、図３（ａ）は斜視図、図３（ｂ）（ｃ）にその分解図を示す。この実施の形態は、重ね合わされた誘電体基板１ｂ及び１ｃの外側の両方の接地導体面３ｂ及び３ｃ上にスロット線路５ｂ及び５ｃ、テーパスロット線路６ｂ及び６ｃ、及びテーパスロット線路６ｂ及び６ｃの回転対称軸に対し軸対称となる位置に、軸対称の形状をなすように接地導体面３ｂ及び３ｃが除去され、例えば図示するような屈曲部を設けた切り欠き７ｂ及び７ｃを各々設け、更に接地導体面３ｂと３ｃ及び給電線路２ｂとからなる共通のトリプレート給電線路１２により２個のスロット線路５ｂと５ｃに電磁結合給電するトリプレート構成としたものである。
【００１５】
なお、切り欠きを設けたことによる基本的な動作については、上記発明の実施の形態１と同様であり、説明を省略する。
【００１６】
この場合、トリプレート給電線路１２により２個のスロット線路５ｂ及び５ｃに同相で電磁結合給電するため、トリプレート給電線路１２とスロット線路５ｂ及び５ｃとからなる変換部の接地導体面３ｂ及び３ｃに対する電界の法線方向成分を相殺でき、交差偏波成分を抑圧することができる。従って、アンテナの寸法を変えずに広帯域に亙ってＶＳＷＲが良好で、且つ低交差偏波特性を有するテーパスロットアンテナを得ることができる。
【００１７】
実施の形態３．
図４はこの発明の実施の形態３のテーパスロットアンテナの構成を示す斜視図である。図４に示すように、テーパスロット線路６ｄの外側の接地導体面３ｄ及び３ｅ上で且つテーパスロット線路６ｄの回転対称軸に対し軸対称となる位置に、軸対称の形状をなすように接地導体面３ｄ及び３ｅが除去され、例えば図示するような屈曲部を設けた切り欠き７ｄを設け、更に中心導体１３と接地導体面３ｄ及び３ｅとからなるコプレーナ給電線路１４によりスロット線路５ｄに給電する構成としたものである。
【００１８】
なお、切り欠きを設けたことによる基本的な動作については、上記発明の実施の形態１と同様であり、説明を省略する。
【００１９】
この場合、コプレーナ給電線路１４とスロット線路５ｄ及び接地導体面３ｄ及び３ｅを同一面上に構成できるため、中心線路１３に半導体素子等を接続する場合等に、バイアホール等を用いずに容易に同一平面上に半導体素子等を配置することができる。また、全て同一平面に構成できるため片面のプリント基板で製作が可能であり、アンテナの寸法を変えずに広帯域に亙ってＶＳＷＲが良好で、且つ低交差偏波特性を有するテーパスロットアンテナを低価格で実現することができる。
【００２０】
実施の形態４．
図５はこの発明の実施の形態４のテーパスロットアンテナの構成を示す斜視図である。この実施の形態は、テーパスロット線路６ｅの外側の接地導体面３ｆ上で且つテーパスロット線路６ｅの回転対称軸に対し軸対称となる位置に、軸対称の形状をなすように接地導体面３ｆが除去され、例えば図示するような屈曲部を設けた切り欠き７ｅを設け、更にテーパスロット線路６ｅと接地導体面３ｆとのテーパ形状をなす境界部分で且つテーパスロット線路６ｅの回転対称軸に対し軸対称となる位置に、上記回転対称軸に対して軸対称の形状の対をなす金属片１５を少なくとも一対設けた構成としたものである。また、この金属片１５は数個の片を並べて形成したものでも良く、この場合には以下に述べるテーパスロット線路に並列に接続されたと等価なサセプタンスを容易に調整できる。
【００２１】
なお、切り欠きを設けたことによる基本的な動作については、上記発明の実施の形態１と同様であり、説明を省略する。
【００２２】
この場合、テーパスロット線路６ｅと接地導体面３ｆとのテーパ形状をなす境界部分に設けた金属片１５は、テーパスロット線路６ｅに並列に接続したサセプタンスと等価であり、金属片１５の寸法等を変えることにより金属片１５からテーパスロット線路６ｅの開放端を見た規格化アドミタンスを特定の周波数において１にする、つまり整合をとることができる。これにより、広帯域に亙って良好な反射特性を有し、且つ所望の周波数において最良のＶＳＷＲを実現させることができる。また、対を成す金属片１５を複数個間隔を変えて設けることにより、所望の複数の周波数で比較的良好なＶＳＷＲを実現することができる。
【００２３】
なお、この発明の実施の形態は、上記発明の実施の形態１〜３のいずれとも組み合せ可能であり、上記同様の効果を奏することは言うまでもない。
【００２４】
実施の形態５．
図６はこの発明の実施の形態５のテーパスロットアンテナの構成を示す斜視図である。この実施の形態は、テーパスロット線路６ｆ及び６ｇの外側の接地導体面３ｇ及び３ｈ上で且つテーパスロット線路６ｆ及び６ｇの回転対称軸に対し軸対称となる位置に、軸対称の形状をなすように接地導体面３ｇ及び３ｈが除去され、例えば図示するような屈曲部を設けた切り欠き７ｆ及び７ｇを設け、更にテーパスロット線路６ｆ及び６ｇそれぞれと同一平面上のテーパスロット線路６ｆ及び６ｇの拡幅開放端の前方で且つテーパスロット線路６ｆ及び６ｇの回転対称軸に対し軸対称となる位置に、軸対称の形状をなすそれぞれ２個の非励振導体１６ａ及び１６ｂ、非励振導体１６ｃ及び１６ｄを設けたテーパスロットアンテナをアレー状に配列したものである。なお、図６では説明を簡単にするため２個の場合を例示した。また、ここで、１７と１８はそれぞれ非励振導体１６ａ及び１６ｂ、非励振導体１６ｃ及び１６ｄが無い場合と有る場合のテーパスロット線路６ｆからテーパスロット線路６ｇへの結合電磁界Ｃ０と結合電磁界Ｃ１、１９は非励振導体１６ａ及び１６ｂ、非励振導体１６ｃ及び１６ｄが有る場合のテーパスロット線路６ｆから非励振導体１６ａ及び１６ｂ、非励振導体１６ｃ及び１６ｄへの結合電磁界Ｃ２である。
【００２５】
なお、切り欠きを設けたことによる基本的な動作については、上記発明の実施の形態１と同様であり、説明を省略する。
【００２６】
ここで、非励振動体１６ａ及び１６ｂ、非励振導体１６ｃ及び１６ｄが無い場合は、結合電磁界Ｃ０は強いレベルでテーパスロット線路６ｆからテーパスロット線路６ｇに結合するが、非励振導体１６ａ及び１６ｂ、非励振導体１６ｃ及び１６ｄが有る場合は、結合電磁界Ｃ１と結合電磁界Ｃ２に分割され、テーパスロット線路６ｇへの結合電磁界Ｃ１は上記結合電磁界Ｃ０よりも小さくなる。つまり、非励振導体１６ａ及び１６ｂ、非励振導体１６ｃ及び１６ｄを設けることによりテーパスロット線路６ｆと６ｇ間の相互結合を抑圧できる。従って、切り欠き７を有するテーパスロットアンテナを複数個アレー状に配列して使用する場合に、切り欠きを有するテーパスロットアンテナの広帯域な反射特性を劣化させることなく維持できる。
【００２７】
なお、この発明の実施の形態は、上記発明の実施の形態１〜４のいずれとも組み合せ可能であり、上記同様の効果を奏することは言うまでもない。
【００２８】
【発明の効果】
この発明は、以上説明したような構成となっているため、以下に記載されるような効果を奏する。
【００２９】
請求項１の発明によれば、テーパスロット線路の開放端の幅が１／２波長より短くなる低い周波数帯ではテーパスロット線路を伝送線路として動作させ、切り欠きの屈曲部をアンテナとして動作させることができ、テーパスロット線路の開放端の幅、つまりアンテナ寸法を大きくすることなく低い周波数帯域での反射特性を改善できる効果が得られる。
【００３０】
請求項２の発明によれば、トリプレート給電構造の切り欠き付きテーパスロットアンテナとしているため、トリプレート給電線路から各スロット線路への変換部で発生する接地導体面に対する法線方向の電界成分を相殺でき、交差偏波成分を抑圧できる効果が得られるとともに、低い周波数帯域での反射特性を改善できる効果が得られる。
【００３１】
請求項３の発明によれば、共平面のコプレーナ給電構造の切り欠き付きテーパスロットアンテナとしているため、半導体素子などをバイアホール等を用いずに容易に同一平面上に配置できる等、全て同一平面に構成できるため安価な片面のプリント基板での製作が可能となり、低コストで低い周波数帯域での反射特性が改善されたテーパスロットアンテナを実現できる効果が得られる。
【００３２】
請求項４の発明によれば、テーパスロット線路とその両外側の接地導体とのテーパ形状をなす境界の上記テーパスロット線路の回転対称軸に対し軸対称となる位置に、上記境界から上記スロットへ延在し、上記回転対称軸に対し軸対称の形状で対をなす金属片を少なくとも一対設けた切り欠き付きテーパスロットアンテナとしているため、テーパスロット線路に整合をとるための並列サセプタンスを容易に形成できる効果が得られ、また、多段にも接続できるので、複数個の所望の周波数において比較的良好な反射特性を得られる効果が得られるとともに、低い周波数帯域での反射特性を改善できる効果が得られる。
【００３３】
請求項５の発明によれば、テーパスロット線路と同一面上のテーパスロット線路の拡幅開放端の前方の上記テーパスロット線路の回転対称軸に対し軸対称となる位置に、上記回転対称軸に対し軸対称の形状の複数個の非励振導体を設けた切り欠き付きテーパスロットアンテナとしているため、テーパスロットアンテナを複数個アレー状に配列したした場合、テーパスロット線路間の結合電磁界の一部を非励振導体に結合させることができ、テーパスロット線路間の結合量を低減できる効果が得られるとともに、ビーム走査した場合等にも低い周波数帯域での反射特性の劣化を低減できる効果が得られる。
【図面の簡単な説明】
【図１】この発明の実施の形態１を示す切り欠きを有するテーパスロットアンテナの斜視図である。
【図２】この発明の実施の形態１における反射特性を説明するための説明図である。
【図３】この発明の実施の形態２を示す切り欠きを有するテーパスロットアンテナの斜視図である。
【図４】この発明の実施の形態３を示す切り欠きを有するテーパスロットアンテナの斜視図である。
【図５】この発明の実施の形態４を示す切り欠きを有するテーパスロットアンテナの斜視図である。
【図６】この発明の実施の形態５を示す切り欠きを有するテーパスロットアンテナをアレー状に配置した場合の斜視図である。
【図７】従来のテーパスロットアンテナの斜視図である。
【符号の説明】
１  誘電体基板、２  給電線路、３  接地導体面、４  マイクロストリップ給電線路、５  スロット線路、６  テーパスロット線路、７  切り欠き、８  励振電流、９  磁界、１０  電界、１１  電流、１２  トリプレート給電線路、
１３  中心導体、１４  コプレーナ給電線路、１５  金属片、
１６  非励振導体、１７  結合電磁界Ｃ０、１８  結合電磁界Ｃ１、１９  結合電磁界Ｃ２、２０  開放端の幅Ｗ。
【図１】
0003550859.tif 000002
【図２】
0003550859.tif 000003
【図３】
0003550859.tif 000004
【図４】
0003550859.tif 000005
【図５】
0003550859.tif 000006
【図６】
0003550859.tif 000007
【図７】
0003550859.tif 000008